(57)【特許請求の範囲】
【請求項１】
断面略円形の柱材と、被取付材と、柱材と被取付材との連結具とを備え、連結具は、断面略Ｕ字形状部分を有する本体部材と、被取付材の柱材側の側面に取り付ける円弧形状部分を有する柱材への圧接部材と、断面略コ字形状部分を有する保持部材と、固定具と、押しボルトとを備え、本体部材はＵ字の円弧部に柱材を配置するとともに、対向する側壁間に被取付材を配置しており、保持部材は対向する側壁の連結壁を被取付材の反柱材側に有しており、本体部材と保持部材は、対向する側壁同士が互いに重合すると共に、保持部材の対向する側壁が本体部材の対向する側壁の内側に重合し、保持部材の対向する側壁には被取付材のガイド部を有しており、固定具により互いの側壁同士を固定し、押しボルトは保持部材の連結壁に設けたねじ部に捩じ込まれ、押しボルトの先端は被取付材内部に挿入され、被取付材を柱材に向けて押圧していることを特徴とする柱装置。
【発明の詳細な説明】
【０００１】
【発明の属する技術分野】
本発明は、断面略円形の柱材に添わせて被取付材を固定した柱装置に関する。
【０００２】
【従来の技術】
実開平５−１４６１１号公報には、断面略円形の柱材と断面略円形の被取付材とを連結具により連結する技術が開示されている。この連結具は、柱材と被取付材を内面側に略半円形状の凹みを設けた２つの保持部材で挟み、保持部材同士をボルトで締め付けることで柱材と被取付材を固定している。また特開平９−２６４３０９号公報には、柱材と被取付材に２つのＵ字形の金具を巻き掛けて囲み、金具同士をボルトで締め付けることによって柱材と被取付具とを固定する技術が開示されている。
【０００３】
【発明が解決しようとする課題】
しかし前者の公報に開示の技術では、２つの保持部材と柱材及び被取付材との間の摩擦力のみで固定しているので、柱材の周囲を被取付材が回転したりがたついたりする恐れがあるとともに、被取付材に軸線方向の荷重が作用すると被取付材が柱材に対して上下にずれる恐れがある。また、この構造により取り付けできる被取付材としては、宣伝用ののぼりのような軽いものが主体で、水平方向に大きく張り出すような部分があるとか、重量のある被取付材を取り付けるには無理があった。後者の公報に開示の技術では、帯状の金具を巻き掛けてボルトで締め付けるだけの簡単な構造なので連結具を安価に提供できる利点はあるものの、柱材と被取付材とを固定する力は、前者の公報のもの以上に弱いものであった。
【０００４】
本発明は以上に述べたような実情に鑑み、被取付材を回転したりがたついたりすることなく柱材に強固に固定できる柱装置を提供することを目的とする。
【０００５】
【課題を解決するための手段】
上記の課題を達成するために、本発明による柱装置は、断面略円形の柱材と、被取付材と、柱材と被取付材との連結具とを備え、連結具は、断面略Ｕ字形状部分を有する本体部材と、被取付材の柱材側の側面に取り付ける円弧形状部分を有する柱材への圧接部材と、断面略コ字形状部分を有する保持部材と、固定具と、押しボルトとを備え、本体部材はＵ字の円弧部に柱材を配置するとともに、対向する側壁間に被取付材を配置しており、保持部材は対向する側壁の連結壁を被取付材の反柱材側に有しており、本体部材と保持部材は、対向する側壁同士が互いに重合すると共に、保持部材の対向する側壁が本体部材の対向する側壁の内側に重合し、保持部材の対向する側壁には被取付材のガイド部を有しており、固定具により互いの側壁同士を固定し、押しボルトは保持部材の連結壁に設けたねじ部に捩じ込まれ、押しボルトの先端は被取付材内部に挿入され、被取付材を柱材に向けて押圧していることを特徴とする。
【０００６】
このような構成となった本発明の柱装置は、押しボルトの先端で被取付材を柱材に向かって押圧することによって、本体部材のＵ字の円弧部と柱材と被取付材が互いに強く圧着する状態となり、さらに柱材と被取付材の間には円弧形状部分を有する圧接部材が介在しているので、被取付材が柱材の回りを回転したりがたついたりすることがない。しかも押しボルトが被取付材内部に挿入されているので、被取付材が上下にずり動いたり傾いたりすることもない。また、本体部材と保持部材で柱材と被取付材の周りを囲み、固定具により本体部材と保持部材を連結具として一体にした時点で、連結具が柱材と被取付材に仮固定した状態となるから、押しボルトを捩じ込んで最終的に固定する作業が容易となる。また、被取付材の傾きを防いで柱材への取付強度が増大する。
【０００７】
【発明の実施の形態】
以下、本発明の実施の形態を図面に基づいて説明する。図４と図５に本発明による柱装置の全体的な構成の一例を示している。この実施形態は、道路脇に設置されたフェンス１５の柱１に、丸いパイプで長方形の枠状に形成した駐輪用の倒れ防止枠１６を連結具３を介して取り付けたものである。倒れ防止枠１６は、歩道側に突き出して駐輪スペースを形成するもので、自転車を一定の向きで配列するとともに、自転車が風で倒れるのを防止する。倒れ防止枠１６は、フェンスの柱に任意の角度で固定できるようになっており、倒れ防止枠１６が必要ない時には図４の１６ｂに示すように、フェンスの横桟１７に添うようにしまうことができる。本発明の要部は、柱材１たるフェンス１５の柱に、被取付材２たる倒れ防止枠１６の一方の縦部材を固定する連結具３の構造にあり、以下にその構造を詳細に述べる。
【０００８】
連結具３の周辺を拡大して示したのが図２であり、図１はそのＡ−Ａ断面図、図３は分解した状態を示す平面図である。連結具３は、横断面略Ｕ字形状の本体部材４と、横断面略コ字形状の保持部材６と、被取付材に取り付けられる柱材への圧接部材５と、本体部材と保持部材とを締結するボルト７及びナット８と、押しボルト９とから成る。
【０００９】
本体部材４は、柱材１の周壁に密着する円弧部１０と対向する二枚の側壁１１，１１を有し、円弧部１０に柱材１が当接して配置され、側壁１１，１１間に被取付材２が配置されている。柱材１と被取付材２は軸線を平行に配置され、柱材と被取付材の間には圧接部材５が介在している。圧接部材５は、横断面が柱材周壁に沿う円弧状となった圧接板１８と、圧接板１８の被取付材２側の面に設けた円柱状の突起１９を有し、被取付材２の側面に穴を空けて、その穴に突起１９が嵌合した状態で被取付材２側に固定されている。固定に際しては突起１９の周囲で溶接した方が良いが、突起１９と被取付材２の穴とのはめ合いによって、単に嵌合させるだけでも良い。
【００１０】
保持部材６は、対向する二枚の側壁１２，１２を被取付材２の反柱材側で連結壁１３により連結した横断面略コ字形状となっている。保持部材の側壁１２，１２は本体部材の側壁１１，１１の内側に嵌合しており、保持部材の側壁１２，１２の先端部には、間隔を狭くして被取付材２に当接するガイド部２０，２０を形成してある。本体部材の側壁１１，１１と保持部材の側壁１２，１２には上下２本のボルト７，７が貫通して挿通され、突出したボルト７の先端にナット８を捩じ込み、本体部材４と保持部材６がリング状に一体化されている。ボルト７とナット８で本体部材と保持部材の側壁を締め付けることで、保持部材のガイド部２０，２０が被取付材２を挟持している。
【００１１】
保持部材の連結壁１３には上下に間隔をおいて３箇所に押しボルト９の挿通穴を設け、その裏側に角ナット１４を溶接してある。この角ナット１４に捩じ込んだ押しボルト９は、被取付材２の反柱材側側面に設けた挿通穴２１より被取付材の内部に挿入され、押しボルト先端部が被取付材２の柱材側の内壁面に押し当てられている。よって押しボルト９を強く締め込むと被取付材２が柱材１に向かって押し込まれ、被取付材２は柱材１に強固に固定されることとなる。柱材１は本体部材の円弧部１０に密着するとともに、被取付材の柱材側に円弧形状の圧接部材５を設けて柱材１に密着させているので、連結具３及び被取付材２は、柱材１に対してがたついたり回転したりということがない。なお、図中の符号２２はカバー部材である。
【００１２】
連結具３を介して被取付材２を柱材１に取り付ける際の手順を以下に述べる。まず、本体部材４を円弧部１０が柱材１に密着するように配置する。次ぎに被取付材２の柱材側側面に圧接部材５を取り付け、被取付材２を本体部材の側壁１１，１１間に配置する。次ぎに保持部材６を、ガイド部２０側から本体部材の側壁１１，１１に嵌め込むようにして挿入し、本体部材と保持部材の側壁にボルト７を通し、突出したボルトの先端にナット８を掛けて本体部材４と保持部材６を締結する。この時点で本体部材４と保持部材６は一体となり、柱材１と被取付材２に動かないように仮固定される。最後に押しボルト９を保持部材の連結壁１３より捩じ込み、押しボルト９の先端を被取付材２の内壁面に押し当てれば、被取付材２は柱材１に強固に固定される。先に述べたように、本実施形態において被取付材２は駐輪用の倒れ防止枠１６であるから、状況に応じて被取付材２の水平面内における取付角度を変えたい場合があるが、その時には押しボルト９を僅かに緩めれば、連結具３及び被取付材２を柱材周りに容易に回転できる。
【００１３】
本発明の柱装置は、以上に述べた実施形態に限定されない。本体部材と保持部材の側壁の固定具としては、ボルト・ナット以外にも軸部材と軸止め輪やリベット等を用いても良い。また、両側の側壁を貫通しないで、側壁を片方ずつ固定するものであっても良い。また、保持部材の側壁の内側に本体部材の側壁が重合する形でも良く、その場合には本体部材の側壁に被取付材のガイド部を設けることができる。被取付材は断面が円形のものでなくても良い。
【００１４】
【発明の効果】
本発明による柱装置は、押しボルトの先端で被取付材を柱材に向かって押圧することによって、本体部材のＵ字の円弧部と柱材と被取付材が互いに強く圧着する状態となり、さらに柱材と被取付材の間には円弧形状部分を有する圧接部材が介在しているので、被取付材が柱材の回りを回転したりがたついたりすることがない。しかも押しボルトが被取付材内部に挿入されているので、被取付材が上下にずり動いたり傾いたりすることもない。柱材には何ら加工を施すことなく被取付材を強固に固定でき、取り付けの際の作業性も良好である。
【００１５】
また、本体部材と保持部材で柱材と被取付材の周りを囲み、固定具により本体部材と保持部材を連結具として一体にした時点で、連結具が柱材と被取付材に仮固定した状態となるから、押しボルトを捩じ込んで最終的に固定する作業が容易となる。また、被取付材の柱材への取付強度が増大する。
【図面の簡単な説明】
【図１】  図２に示す柱装置連結具周辺のＡ−Ａ断面図である。
【図２】  本発明による柱装置の連結具の周辺を拡大して示す正面図である。
【図３】  連結具を分解した状態で示す平面図である。
【図４】  本発明による柱装置の一実施形態を示す平面図である。
【図５】  本発明による柱装置の一実施形態を示す正面図である。
【符号の説明】
１  柱材
２  被取付材
３  連結具
４  本体部材
５  圧接部材
６  保持部材
７、８  ボルト、ナット（固定具）
９  押しボルト
１０  円弧部
１１  側壁（本体部材）
１２  側壁（保持部材）
１３  連結壁
１４  角ナット（ねじ部）
２０  ガイド部
【図１】
0003885516.tif 000002
【図２】
0003885516.tif 000003
【図３】
0003885516.tif 000004
【図４】
0003885516.tif 000005
【図５】
0003885516.tif 000006